(57)【特許請求の範囲】
【請求項１】
シリンダとピストンとにより規定される内部空間にガスが注入され、前記ピストンに連結された外部に突出するピストン連結棒の先端部に設けられたノッチ部を押込むことにより、前記ピストン連結棒のロック機構が解除され、前記ガスの圧力により前記ピストン連結棒が外部へ押出され、前記ノッチ部の押込みを解放することにより、前記ピストン連結棒が固定されるガススプリングを用いた医療器具用スタンドであって、
前記ガススプリングの下端部を固定的に支持するベース部材と、
前記ガススプリングを覆うとともに、前記ピストン連結棒の動きに連動するように、前記ピストン連結棒に結合されるスライド支柱と、
前記ガススプリングの軸の延びる方向に沿ってのみ摺動可能なように前記スライド支柱の外周面に取付けられるブッシュと、
その後端側が前記ベース部材に固定され、その先端側において、前記スライド支柱の先端側が突出可能な開口部を有し、その内周面が前記ブッシュの外周面に接するように前記スライド支柱を覆うメインパイプと、
を備え、
前記スライド支柱の外周面と前記ブッシュの内周面との間は第１摩擦係数に設定され、
前記ブッシュの外周面と前記メインパイプの内周面との間は前記第１摩擦係数よりも大きい第２摩擦係数に設定される、医療器具用スタンド。
【発明の詳細な説明】
【０００１】
【発明の属する技術分野】
この発明は、医療器具用スタンドに関し、より特定的には、医療器具の操作性の向上を図る医療器具用スタンドに関する。
【０００２】
【従来の技術および発明が解決しようとする課題】
近年、人体の機能を検査する方法として、さまざまな方法が開発されている。その中の１つに、人体の循環器の機能を診断するための、循環器Ｘ線診断方法がある。この循環器Ｘ線診断方法においては、患者の体内に造影剤が注入される。ここで、患者の体内に造影剤を注入するために、医療用インジェクタヘッドが用いられる。また、この医療用インジェクタヘッドを患者に対して適切な高さおよび適切な位置に支持するための医療器具用スタンドがある。
【０００３】
ここで、図５を参照して、従来の医療用インジェクタヘッド１００を支持するための医療器具用スタンド１Ｂの機構について簡単に説明する。まず、医療用インジェクタヘッド１００には、造影剤が封入されるシリンジ１０１が取付けられており、医療用インジェクタヘッド１００内に設けられたプランジャ（図示せず）の出し入れにより、シリンジ１０１内に封入された造影剤が患者に注入される。この医療用インジェクタヘッド１００には、支持パイプ１０２が取付けられている。
【０００４】
医療器具用スタンド１Ｂには、医療用インジェクタヘッド１００を容易に所定の位置に搬送するための複数のローラが設けられたベース１３を有している。このベース１３には、上方向に延びるメインパイプ８が取付けられている。このメインパイプ８の内部には、ガススプリング９が装着されている。
【０００５】
ここで、このガススプリング９は、シリンダとピストンにより規定される内部空間にガスが注入され、ピストンに連結された外部に突出するピストン連結棒の先端部に設けられたノッチ部を押込むことにより、ピストン連結棒のロック機構が解除され、上記ガスの圧力によりこのピストン連結棒が上方へ押出されノッチ部の押込みを解放することにより、ピストン連結棒が固定される構造を有しており、上記ノッチ部の押込みおよび解放は、ガススプリング９の上端部に設けられたアーム３により行なわれる。アーム３は、ガススプリング９の先端部に設けられたヘッド１に取付けられている。
【０００６】
ヘッド１には、アーム３を容易に握ることができるようにノブ２が設けられている。また、ヘッド１の上端部において、医療用インジェクタヘッド１００に設けられた支持パイプ１０２が保持されることになる。
【０００７】
したがって、上記構造よりなる医療器具用スタンド１Ｂを用いて、アーム３を握りしめることにより、ガススプリング９に設けられたノッチ部が押込まれ、ロック機構が解除され、任意の位置にガススプリング９をスライドさせて、医療用インジェクタヘッド１００の患者に対する高さを調整することができる構造となっている。
【０００８】
しかしながら、上記構造において、ガススプリング９のロック機構が解除された場合においては、医療用インジェクタヘッド１００をスムーズに上下に移動させるため、比較的軽い力で上下に移動させることが可能になっている。そのため、ガススプリング９の軸を中心とする回動も容易に実現されてしまう。
【０００９】
その結果、たとえば医療用インジェクタヘッド１００の作動時に、医療用インジェクタヘッド１００に人が当たった場合、容易に医療用インジェクタヘッド１００の向きが変わってしまい、医療用インジェクタヘッド１００を操作する上において、不便を感じることが多くあった。
【００１０】
したがって、この発明の目的は、ガススプリングの軸方向に沿っては容易に移動し、ガススプリングの軸を中心とする回動に対しては、比較的強い力を加えなければ回動しない機構を有する医療器具用スタンドを提供する。
【００１２】
【課題を解決するための手段】
この発明に基づいた医療器具用スタンドにおいては、シリンダとピストンとにより規定される内部空間にガスが注入され、上記ピストンに連結された外部に突出するピストン連結棒の先端部に設けられたノッチ部を押込むことにより、上記ピストン連結棒のロック機構が解除され、上記ガスの圧力により上記ピストン連結棒が外部へ押出され、上記ノッチ部の押込みを解放することにより、上記ピストン連結棒が固定されるガススプリングを用いた医療器具用スタンドであって、上記ガススプリングの下端部を固定的に支持するベース部材と、上記ガススプリングを覆うとともに、上記ピストン連結棒の動きに連動するように上記ピストン連結棒に結合されるスライド支柱と、上記スライド支柱の軸の延びる方向に沿ってのみ摺動可能なように上記スライド支柱の外周面に取付けられるブッシュと、その後端側が前記ベース部材に固定され、その先端側において、上記スライド支柱の先端側が突出可能な開口部を有し、その内周面が上記ブッシュの外周面に接するように上記スライド支柱を覆うメインパイプとを備え、上記スライド支柱の外周面と上記ブッシュの内周面との間は第１摩擦係数に設定され、上記ブッシュの外周面と上記メインパイプの内周面との間は上記第１摩擦係数よりも大きい第２摩擦係数に設定されている。
【００１３】
このように、スライド支柱とメインパイプとの間に生じる摩擦係数を、ガススプリングの軸の延びる方向に移動する場合の摩擦係数よりもガススプリングの軸を中心とて回動する場合の摩擦係数の方を大きく設定することにより、スライド支柱をガススプリングの軸の延びる方向に沿って移動させる場合は容易にスライドさせることが可能となるとともに、ガススプリングの軸を中心とする回動に対しては、スライド支柱をガススプリングの軸の延びる方向に沿って移動させるよりも強い力を加えなければスライド支柱が回動しない。
【００１４】
その結果、この医療器具用スタンドの上端部にたとえば医療用インジェクタヘッドなどを用いた場合、医療用インジェクタヘッドに人が当たった場合においても、容易に医療用インジェクタヘッドの向きが変わることがなく、医療用インジェクタヘッドの操作性が向上し、医療用インジェクタヘッドを操作する者にとって、非常に扱いやすい医療機器用スタンドを提供することが可能となる。
【００１５】
【発明の実施の形態】
以下、図を参照して、この発明に基づいた医療器具用スタンドについて、説明する。
【００１６】
まず、図１を参照して、この実施の形態における医療器具用スタンド１Ａの構造について説明する。まず、この医療器具用スタンド１Ａには、ガススプリング９が用いられている。このガススプリング９は、その内部構造の詳細については図示していないが、シリンダとピストンとにより規定される内部空間にガスが注入され、ピストンに連結された外部に突出するピストン連結棒９ｂの先端部に設けられたノッチ部９ｃを押込むことにより、内部に設けられたピストン連結棒９ｂのロック機構が解除され、シリンダの内部のガスの圧力により、ピストン連結棒９ｂが外部へ押出される。一方、ノッチ部９ｃの押込みを解放することにより、ピストン連結棒９ｂが、内部のロック機構により固定される機構を有している。
【００１７】
上述した機構よりなるガススプリング９を用いて、ガススプリング９の本体部９ａの下端部が、図５の従来の技術で説明した機構と同様の機構を有するベース１３に固定されている。
【００１８】
ガススプリング９は、このガススプリング９の軸と同軸となる円筒形状のスライド支柱１２により覆われている。このスライド支柱１２は、その上端部分において、ボス５を介在して、ビス６を用いて、ピストン連結棒９ｂの動きに連結するように、ピストン連結棒９ｂに固定されている。
【００１９】
スライド支柱１２の外周面には、このスライド支柱１２の軸の延びる方向に沿ってのみ摺動可能なように、ブッシュ１０が２ヶ所設けられている。このブッシュ１０の構造については、後述する。なお、ブッシュ１０を２ヶ所以上設けても、何ら問題は無い。図１において、ブッシュ１０は、支持パイプ１０Ａおよび１０Ｂを用いて位置決めされている。
【００２０】
さらに、スライド支柱１２を覆うようにメインパイプ８が設けられている。このメインパイプ８の後端側はベース１３に固定されており、先端側には、スライド支柱１２の先端側が突出可能な開口部８ａが設けられている。また、メインパイプ８の内周面は、上述したブッシュ１０の外周面に接するように設けられている。さらに、本実施の形態においては、メインパイプ８の上端部は、パイプカバー７によって覆われている。
【００２１】
ここで、ブッシュ１０の詳細な構造について、図２および図３を参照して説明する。図２は、図１中Ａで囲まれる領域の部分拡大図であり、図３は、図２中Ｘ−Ｘ′線矢視断面図を示している。
【００２２】
両図を参照して、まず、スライド支柱１２の外表面には、スライド支柱１２の軸が延びる方向に沿って複数の凹部溝１２ａが設けられている。一方、ブッシュ１０のブッシュ本体１０ａの内表面には、スライド支柱１２に設けられた凹部溝１２ａに係合する凸部１０ｄが設けられている。
【００２３】
したがって、上述した凹部溝１２ａと凸部１０ｄとを係合させることにより、ブッシュ本体１０ａは、スライド支柱１２に対して、ガススプリング９の軸が延びる方向に沿ってのみ摺動可能となる。ここで、ブッシュ１０のには、スライド支柱１２をスムーズにスライドさせるため、摩擦係数が極力低い値となるようにテフロン樹脂を用いることが好ましい。
【００２４】
一方、ブッシュ本体１０ａの外周面には、環状溝１０ｃが設けられている。この環状溝１０ｃとメインパイプ８の内周面との間には、ゴムなどよりなる環状のリング部材１０ｂが圧入されている。したがって、メインパイプ８は、ガススプリング９の軸を中心として回動可能となる。しかし、リング部材１０ｂとメインパイプ８の内周面との摩擦係数は，リング部材１０ｂを圧入しているため、上述したスライド支柱１２とブッシュ本体１０ａとの間の摩擦係数よりも大きくなり、スライド支柱１２のメインパイプ８に対するガススプリング９の軸を中心とする回転抵抗は大きくなる。なお、リング部材１０ｂの本数は、必ずしも環状溝１０ｃの数に対して一対一である必要はなく、環状溝１０ｃの数よりも少なくても構わない。また、スライド支柱１２のメインパイプ８に対するガススプリング９の軸を中心とする回転抵抗は、リング部材１０ｂの本数によって制御することが可能である。
【００２５】
再び図１を参照して、スライド支柱１２の上端部には、医療用器具を設置するための挿入孔１ａが設けられたヘッド１が上述したビス６を用いて固定されている。このヘッド１には、支点４を中心として、ガススプリング９に設けられたノッチ９ｃを押込めるためのアーム３が設けられ、このアーム３を支点４を中心として容易に回動させるためのノブ２が設けられている。
【００２６】
上記構造よりなる医療器具用スタンドにおいて、ノブ２を用いてアーム３を握りしめた場合、図４に示すように、ノッチ９ｃが押込められ、ピストン連結棒９ｂのロック機構が解除され、容易にスライド支柱１２を上方へ移動させることが可能となる。また、スライド支柱１２のメインパイプ８に対する回動は、上述したようにリング部材１０ｂを介して行なわれるため、摩擦抵抗が大きく、スライド支柱１２がメインパイプ８に対して上昇するよりも大きい力が必要となっている。
【００２７】
したがって、上記構造よりなる医療器具用スタンドに、たとえば医療用インジェクタヘッドなどを装着した場合、医療用インジェクタヘッドに人が当たった場合においても、容易に医療用インジェクタヘッドの向きが変わることがなく、医療用インジェクタヘッドの操作性が向上し、医療用インジェクタヘッドを操作する者にとって、非常に扱いやすい医療機器用スタンドを提供することが可能となる。
【００２８】
なお、今回開示した実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【図面の簡単な説明】
【図１】この発明に基づいた医療器具用スタンドの縦断面図である。
【図２】図１中Ａで示す領域の部分断面図である。
【図３】図２中Ｘ−Ｘ′線矢視断面図である。
【図４】この発明に基づいた医療器具用スタンドの動作を示す図である。
【図５】従来の技術における医療器具用スタンドの動作を示す図である。
【符号の説明】
１Ａ  医療器具用スタンド
１  ヘッド
１ａ  挿入孔
２  ノブ
３  アーム
４  支点
５  ボス
６  ビス
７  パイプカバー
８  メインパイプ
８ａ  開口部
９  ガススプリング
９ａ  本体部
９ｂ  ピストン連結棒
９ｃ  ノッチ部
１０  ブッシュ
１０ａ  ブッシュ本体
１０ｂ  リング部材
１０Ａ，１０Ｂ  支持パイプ
１０ｃ  環状溝
１０ｄ  凸部
１２  スライド支柱
１２ａ  凹部溝
１３  ベース
【図１】
0003923126.tif 000002
【図２】
0003923126.tif 000003
【図３】
0003923126.tif 000004
【図４】
0003923126.tif 000005
【図５】
0003923126.tif 000006